(57)【要約】【課題】メッセージを表示する際にエラーが起こることを防止可能な医用画像診断装置及び医用画像表示装置を提供することである。【解決手段】実施の形態の医用画像診断装置では、メッセージを識別する識別情報と、メッセージを含むメッセージ画像データとを対応付けて記憶する。また、医用画像診断装置では、任意のメッセージを表示部に表示する場合に、任意のメッセージを識別する識別情報に対応付けられたメッセージ画像データをメッセージ画像記憶部から取得し、取得したメッセージ画像データを表示する。【選択図】図２
2012170781.tif 000002
【特許請求の範囲】
【請求項１】
メッセージを識別する識別情報と、当該メッセージを含むメッセージ画像データとを対応付けて記憶するメッセージ画像記憶部と、
任意のメッセージを表示部に表示する場合に、当該任意のメッセージを識別する前記識別情報に対応付けられた前記メッセージ画像データを前記メッセージ画像記憶部から取得する取得部と、
前記取得部により取得されたメッセージ画像データを前記表示部に表示する表示制御部と
を備えたことを特徴とする医用画像診断装置。
【請求項２】
前記メッセージ画像記憶部は、メッセージを示す文字列と当該メッセージに関する絵とを含むメッセージ画像データを記憶することを特徴とする請求項１に記載の医用画像診断装置。
【請求項３】
被検体への影響度を評価する影響度評価部を更に備え、
前記表示制御部は、前記影響度評価部により評価された影響度に基づいたメッセージ画像を表示することを特徴とする請求項１又は２に記載の医用画像診断装置。
【請求項４】
前記表示部は、医用画像を含む画面を表示し、
前記表示制御部は、前記医用画像を含む画面のうち、当該医用画像が表示されていない部分に前記メッセージ画像データを表示することを特徴とする請求項１〜３のいずれかに記載の医用画像診断装置。
【請求項５】
メッセージを識別する識別情報と、当該メッセージを含むメッセージ画像データとを対応付けて記憶するメッセージ画像記憶部と、
任意のメッセージを表示部に表示する場合に、当該任意のメッセージを識別する前記識別情報に対応付けられた前記メッセージ画像データを前記メッセージ画像記憶部から取得する取得部と、
前記取得部により取得されたメッセージ画像データを前記表示部に表示する表示制御部と
を備えたことを特徴とする医用画像表示装置。
【発明の詳細な説明】
【技術分野】
【０００１】
本発明の実施の形態は、医用画像診断装置及び医用画像表示装置に関する。
【背景技術】
【０００２】
医用画像診断装置は、被検体の医用画像を撮影する。例えば、医用画像診断装置は、超音波診断装置、Ｘ線ＣＴ（Computed  Tomography）装置、ＭＲＩ（Magnetic  Resonance  Imaging）装置、Ｘ線診断装置、核医学イメージング装置などである。また、医用画像診断装置は、各種のメッセージを表示する。例えば、医用画像診断装置は、エラーが発生すると、エラーが発生した旨のメッセージを表示する。
【０００３】
また、医用画像診断装置は様々な国において用いられる結果、医用画像診断装置を利用する利用者により用いられる言語は、多種多様である。このため、多国語表示に対応することが求められる。
【０００４】
ここで、メッセージを表示する際にエラーが起こることがある。例えば、同一内容を示すメッセージであっても言語によって文字数が異なる結果、ある言語ではメッセージすべてが表示される一方、他の言語ではメッセージすべてが表示されないことがある。
【先行技術文献】
【特許文献】
【０００５】
【特許文献１】特開２００１−１４２６００号公報
【特許文献２】特開２０００−１９４４７２号公報
【特許文献３】特開平１１−６６００２号公報
【発明の概要】
【発明が解決しようとする課題】
【０００６】
本発明が解決しようとする課題は、メッセージを表示する際にエラーが起こることを防止可能な医用画像診断装置及び医用画像表示装置を提供することである。
【課題を解決するための手段】
【０００７】
実施の形態の医用画像診断装置は、メッセージ画像記憶部と、取得部と、表示制御部とを備える。メッセージ画像記憶部は、メッセージを識別する識別情報と、当該メッセージを含むメッセージ画像データとを対応付けて記憶する。取得部は、任意のメッセージを表示部に表示する場合に、当該任意のメッセージを識別する前記識別情報に対応付けられた前記メッセージ画像データを前記メッセージ画像記憶部から取得する。表示制御部は、前記取得部により取得されたメッセージ画像データを前記表示部に表示する。
【図面の簡単な説明】
【０００８】
【図１】図１は、第１の実施形態における医用画像管理システムを示す図である。
【図２】図２は、第１の実施形態における医用画像診断装置の構成の一例を示すブロック図である。
【図３】図３は、第１の実施形態におけるメッセージ画像記憶部に記憶された情報の一例を示す図である。
【図４−１】図４−１は、第１の実施形態におけるメッセージ画像データの一例を示す図である。
【図４−２】図４−２は、第１の実施形態におけるメッセージ画像データの一例を示す図である。
【図４−３】図４−３は、第１の実施形態におけるメッセージ画像データの一例を示す図である。
【図５】図５は、第１の実施形態における表示制御部により表示部に表示されるメッセージ画像データの一例を示す図である。
【図６】図６は、実施例１に係る医用画像診断装置による処理の流れの一例を示すフローチャートである。
【図７】図７は、第２の実施形態に係る医用画像診断装置の構成の一例を示す図である。
【図８】図８は、第２の実施形態におけるメッセージ画像記憶部に記憶された情報の一例を示す図である。
【図９】図９は、実施例２に係る医用画像診断装置による処理の流れの一例を示すフローチャートである。
【発明を実施するための形態】
【０００９】
（第１の実施形態）
（第１の実施形態における医用画像管理システム）
図１は、第１の実施形態における医用画像管理システムを示す図である。図１に示すように、第１の実施形態における医用画像管理システムは、医用画像診断装置１００と、医用画像保管装置２００とを有する。また、医用画像診断装置１００は、表示部１０３を有する。医用画像診断装置１００と医用画像保管装置２００と医用画像表示装置３００とは、ネットワーク１を介して接続される。
【００１０】
医用画像診断装置１００は、超音波診断装置、Ｘ線ＣＴ（Computed  Tomography）装置、ＭＲＩ（Magnetic  Resonance  Imaging）装置、Ｘ線診断装置、核医学イメージング装置などである。なお、図１に示す例では、医用画像診断装置１００と医用画像保管装置２００と医用画像表示装置３００とが、それぞれ１つずつある場合を示したが、これに限定されるものでなく、任意の数であって良い。また、ネットワーク１に接続された医用画像診断装置１００は、同一の種類の装置である場合に限定されるものではなく、様々な種類からなる複数台の医用画像診断装置１００が接続されて良い。
【００１１】
医用画像診断装置１００は、検査ごとに被験体の医用画像を収集する。例えば、医用画像診断装置１００は、利用者から医用画像を収集する条件が設定され、設定された条件に基づいて被験体の医用画像を収集する。例えば、医用画像診断装置１００は、ＤＩＣＯＭ（Digital  Imaging  and  Communications  in  Medicine）に則った画像フォーマットに統一された医用画像を収集する。また、医用画像診断装置１００は、収集した医用画像を表示部１０３にて表示したり、医用画像保管装置２００に送信したりする。
【００１２】
医用画像保管装置２００は、医用画像診断装置１００により収集された医用画像を医用画像データベース２１０に保管する。例えば、医用画像保管装置２００は、ＤＩＣＯＭに則った通信プロトコルで送信された医用画像を医用画像診断装置１００から受信し、受信した医用画像を医用画像データベース２１０に格納する。
【００１３】
医用画像表示装置３００は、医用画像保管装置２００にて保管された医用画像を利用者に表示する。医用画像表示装置３００は、医用画像を表示する表示要求を利用者から受け付けると、利用者により指定された医用画像の送信要求を医用画像保管装置２００に対して送信し、医用画像保管装置２００から送信された医用画像を受信し、受信した医用画像を表示する。ここで、医用画像表示装置３００の利用者は、医用画像を読影する医師や、治療計画を決めるカンファレンスに集まった各診断科目の医師などである。なお、医用画像表示装置３００と医用画像保管装置２００との間のデータ送受信は、例えば、ＤＩＣＯＭに則った通信プロトコルにより実行される。
【００１４】
医用画像表示装置３００は、例えば、既知のパーソナルコンピュータ、移動体通信端末又はＰＤＡ（Personal  Digital  Assistant）などの情報処理装置を利用して実現しても良い。例えば、ＰＤＡなどの情報処理装置であっても良い。
【００１５】
なお、図１に示す例では、医用画像管理システムが医用画像保管装置２００を有し、医用画像が医用画像保管装置２００に保管される場合を示したが、これに限定されるものではなく、医用画像保管装置２００を有さなくても良い。また、図１に示す例では、医用画像管理システムが医用画像表示装置３００を有する場合を例に示したが、これに限定されるものではなく、医用画像表示装置３００を有さなくても良い。
【００１６】
ここで、以下に詳細に説明するように、第１の実施形態に係る医用画像診断装置１００は、任意のメッセージを表示する場合に、メッセージを含む画像データを表示するので、文字数や言語の種類に関係なく、メッセージを確実に表示可能となる。
【００１７】
（第１の実施形態における医用画像診断装置の構成）
図２は、第１の実施形態における医用画像診断装置の構成の一例を示すブロック図である。図２に示すように、第１の実施形態における医用画像診断装置１００は、インタフェース部１０１と、入力部１０２と、表示部１０３と、メッセージ画像記憶部１１０と、制御部１２０とを有する。なお、図２においては記載していないが、医用画像診断装置１００は、医用画像を収集する上で用いられる一般的な処理部を有する。すなわち、医用画像診断装置１００は、被検体の医用画像を収集する収集部を有する。言い換えると、医用画像診断装置１００は、医用画像を生成する医用画像生成部を有する。以下では、医用画像診断装置１００が、任意のメッセージを表示する場合にメッセージを含む画像データを表示する処理について説明し、医用画像を収集処理については説明を省略する。
【００１８】
インタフェース部１０１は、制御部１２０と接続される。インタフェース部１０１は、医用画像保管装置２００との間でデータを送受信する。例えば、インタフェース部１０１は、ＤＩＣＯＭ規格に則った通信プロトコルにより、医用画像保管装置２００に対して医用画像の送信要求を送信したり、医用画像保管装置２００から医用画像を受信したりする。
【００１９】
入力部１０２は、制御部１２０と接続される。入力部１０２は、医用画像診断装置１００の利用者からの各種設定情報を受け付ける。例えば、入力部１０２は、マウスやキーボードなどである。入力部１０２は、利用者からの医用画像の表示要求を受け付ける。表示部１０３は、制御部１２０と接続される。表示部１０３は、医用画像を表示したり、利用者からの指示を受け付けるためのＧＵＩ（Graphical  User  Interface）を表示したりする。例えば、表示部１０３は、モニタである。
【００２０】
メッセージ画像記憶部１１０は、制御部１２０と接続される。メッセージ画像記憶部１１０は、制御部１２０による各種処理に用いるデータを記憶する。メッセージ画像記憶部１１０は、例えば、ＲＡＭ（Random  Access  Memory）、フラッシュメモリ（Flash  Memory）などの半導体メモリ素子、又は、ハードディスクや光ディスクなどである。
【００２１】
メッセージ画像記憶部１１０は、メッセージを識別する識別情報と、メッセージを含むメッセージ画像データとを対応付けて記憶する。図３は、第１の実施形態におけるメッセージ画像記憶部に記憶された情報の一例を示す図である。図３に示すように、メッセージ画像記憶部１１０は、言語を識別する識別情報である「言語ＩＤ（Identifier）」ごとに、メッセージを識別する識別情報である「文言ＩＤ」と、「メッセージ画像データ」とを対応付けて記憶する。
【００２２】
例えば、メッセージ画像記憶部１１０は、メッセージ画像データをビットマップデータとして記憶する。ただし、これに限定されるものではなく、任意のフォーマットにてメッセージ画像データを記憶して良い。
【００２３】
図３に示す例では、メッセージ画像記憶部１１０は、言語ＩＤ「１」について、文言ＩＤ「００１」とメッセージ画像データ「画像データ００１ａ」とを対応付けて記憶する。また、メッセージ画像記憶部１１０は、言語ＩＤ「１」について、文言ＩＤ「００２」とメッセージ画像データ「画像データ００２ａ」とを対応付けて記憶する。また、メッセージ画像記憶部１１０は、言語ＩＤ「１」について、他の文言ＩＤについてもメッセージ画像データを対応付けて記憶し、他の言語ＩＤについても同様に記憶する。なお、図３に示す例では、メッセージ画像データは画像のデータであるが、記載の便宜上、「画像データ００１ａ」や「画像データ００２ａ」などと記載した。
【００２４】
以下では、言語ＩＤ「１」が日本語を示し、言語ＩＤ「２」が英語を示し、言語ＩＤ「３」がドイツ語を示す場合を例に説明するが、これに限定されるものでなく、任意の言語を示して良い。また、同一の文言ＩＤに対応付けられたメッセージ画像データに含まれるメッセージは、言語ＩＤが異なったとしても、同一趣旨のメッセージを含むメッセージ画像データとなる。
【００２５】
ここで、メッセージ画像データの一例について説明する。例えば、言語ＩＤ「１」と文言ＩＤ「００１」により識別されるメッセージが「遠隔操作器の異常を検出。電源スイッチにてリセットします。再発時はサービスセンタへ連絡して下さい。」である場合を用いて説明する。この場合、言語ＩＤ「１」と文言ＩＤ「００１」とに対応付けられるメッセージ画像データ「画像データ００１ａ」には、メッセージ「遠隔操作器の異常を検出。電源ＯＮスイッチにてリセットします。再発時はサービスセンタへ連絡して下さい。」が含まれる。言い換えると、医用画像診断装置１００は、メッセージ画像データ「画像データ００１ａ」を表示することで、メッセージ「遠隔操作器の異常を検出。電源ＯＮスイッチにてリセットします。再発時はサービスセンタへ連絡して下さい。」が表示部１０３に表示される。
【００２６】
図４−１〜図４−３は、第１の実施形態におけるメッセージ画像データの一例を示す図である。図４−１は、言語ＩＤ「１」と文言ＩＤ「００１」とに対応付けられるメッセージ画像データ「画像データ００１ａ」の一例を示す。図４−２は、言語ＩＤ「２」と文言ＩＤ「００１」とに対応付けられるメッセージ画像データ「画像データ００１ｄ」を示す。また、図４−３は、言語ＩＤ「３」と文言ＩＤ「００１」とに対応付けられるメッセージ画像データ「画像データ００１ｃ」の一例を示す。
【００２７】
図４−１〜図４−３に示されるように、メッセージ画像データには、メッセージが含まれる。図４−１〜図４−３に示す例では、すべて文言ＩＤ「００１」に対応付けられるメッセージ画像データであり、「遠隔操作器の異常を検出。電源スイッチにてリセットします。再発時はサービスセンタへ連絡して下さい。」と同趣旨のメッセージを含む。
【００２８】
なお、図４−１〜図４−３に示した例では、背景を白色とし、文字を黒色とするメッセージ画像データを示したが、これに限定されるものではなく、任意の色であって良い。例えば、背景を黒色とし、文字を白色としても良い。また、図４−１〜図４−３に示す例では、メッセージ画像データの形状が長方形である場合を例に示したが、これに限定されるものではなく、任意の形状であって良い。
【００２９】
なお、図４−１〜図４−３に示す例では、メッセージ画像データに、文字列のみが含まれる場合を例に示したが、これに限定されるものではない。例えば、メッセージ画像データに、メッセージを示す文字列と、メッセージに関連する絵とを含めても良い。また、絵を含める場合には、メッセージの意味や重要度、被検体への影響度に応じて絵の種類を変更することで、メッセージの意味や重要度などを利用者が簡単に把握することができるようにしても良い。
【００３０】
制御部１２０は、インタフェース部１０１、入力部１０２、表示部１０３及びメッセージ画像記憶部１１０と接続される。制御部１２０は、各種の処理手順などを規定したプログラムを記憶する内部メモリを有し、種々の処理を制御する。制御部１２０は、例えば、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などである。図２に示す例では、制御部１２０は、取得部１２１と、表示制御部１２２とを有する。
【００３１】
取得部１２１は、任意のメッセージを表示部１０３に表示する場合に、任意のメッセージを識別する識別情報に対応付けられたメッセージ画像データをメッセージ画像記憶部１１０から取得する。例えば、メッセージ「遠隔操作器の異常を検出。電源ＯＮスイッチにてリセットします。再発時はサービスセンタへ連絡して下さい。」を表示する場合を用いて説明する。また、医用画像診断装置１００により用いられている言語が「日本語」である場合を用いて説明する。この場合、取得部１２１は、表示するメッセージを識別する文言ＩＤ「００１」と言語ＩＤ「１」との組み合わせを検索キーとして、メッセージ画像データ「画像データ００１ａ」を取得する。
【００３２】
なお、任意のメッセージを表示部１０３に表示する場合とは、例えば、医用画像診断装置１００にエラーが発生した場合や、利用者に対して操作ガイドを表示する場合などである。ただし、任意のメッセージを表示部１０３に表示する場合とは、これに限定されるものではなく、任意の契機であって良い。
【００３３】
表示制御部１２２は、取得部１２１により取得されたメッセージ画像データを表示部１０３に表示する。例えば、表示制御部１２２は、取得部１２１によって取得されたメッセージ画像データ「画像データ００１ａ」を表示部１０３に表示する。すなわち、表示制御部１２２は、任意のメッセージを表示部１０３に表示する場合に、表示する対象となるメッセージを含む画像データを表示部１０３に表示する。
【００３４】
図５は、第１の実施形態における表示制御部により表示部に表示されるメッセージ画像データの一例を示す図である。図５において、画面領域４０１は、医用画像を表示する画面領域や利用者による操作を受け付ける画面領域を示す。また、画面領域４０２は、任意のメッセージを表示するための画面領域を示す。図５に示す例では、表示制御部１２２は、画面領域４０２に対して、取得部１２１により取得されたメッセージ画像データ「画像データ００１ａ」を表示する。
【００３５】
なお、任意のメッセージを表示するための画面領域４０２の形状が固定である場合には、メッセージ画像記憶部１１０に記憶されたメッセージ画像データの形状は、画面領域４０２に収まる形状となる。
【００３６】
（第１の実施形態に係る医用画像診断装置による処理）
図６は、実施例１に係る医用画像診断装置による処理の流れの一例を示すフローチャートである。
【００３７】
図６に示すように、医用画像診断装置１００では、任意のメッセージを表示する表示タイミングとなると（ステップＳ１０１肯定）、取得部１２１は、文言ＩＤに対応付けられたメッセージ画像データをメッセージ画像記憶部１１０から取得する（ステップＳ１０２）。例えば、表示するメッセージを識別する文言ＩＤが文言ＩＤ「００１」であり、医用画像診断装置１００により用いられている言語が「日本語」である場合には、取得部１２１は、文言ＩＤ「００１」と言語ＩＤ「１」との組み合わせを検索キーとして、メッセージ画像データ「画像データ００１ａ」を取得する。
【００３８】
そして、表示制御部１２２は、取得されたメッセージ画像データを表示部１０３に表示する（ステップＳ１０３）。例えば、表示制御部１２２は、取得部１２１によって取得されたメッセージ画像データ「画像データ００１ａ」を表示部１０３に表示する。
【００３９】
（第１の実施形態の効果）
上述したように、第１の実施形態によれば、医用画像診断装置１００は、メッセージを識別する識別情報と、メッセージを含むメッセージ画像データとを対応付けて記憶する。また、医用画像診断装置１００は、任意のメッセージを表示部１０３に表示する場合に、任意のメッセージを識別する識別情報に対応付けられたメッセージ画像データをメッセージ画像記憶部１１０から取得し、取得したメッセージ画像データを表示部１０３に表示する。この結果、メッセージを表示する際にエラーが起こることを防止可能である。
【００４０】
すなわち、医用画像診断装置１００は、ユーザーへのエラー発生や操作ガイドを通知する場合に、コンソール画面にエラー発生を通知するメッセージやガイドメッセージを表示する。ここで、医用画像診断装置１００により表示されるメッセージは、仕向け国において用いられる言語でのメッセージを表示することが求められる。言い換えると、多国語に対応することが求められる。ここで、多国語に対応する手法としては、例えば、言語ごとにフォントデータとメッセージデータとを用意する手法が考えられる。
【００４１】
しかしながら、言語ごとにフォントデータとメッセージデータとを用意する手法では、言語を切り替えると、言語によっては、禁則処理の影響で文字化けや表示エリアに正しく表示出来ないことが考えられる。
【００４２】
例えば、言語によっては、メッセージの文字数が長くなることがある。この結果、同一内容のメッセージを表示する場合であっても、ある言語ではメッセージの全文が１度に表示される一方、異なる言語ではメッセージの全文が１度に表示されないことがある。また、禁則処理の影響により行数や文字数が変化し、メッセージの全文が表示されないことが考えられる。なお、禁則処理とは、文言が、行頭、行末などにあってはならないという禁止事項があることを踏まえ、かかる禁止事項を回避することを目的として字詰めや文の長さを調整したりする処理を示す。また、フォントデータとは、コンピュータにおいて、画面に文字列を表示するための書体データを示す。
【００４３】
また、言語ごとにフォントデータとメッセージデータとを用意する手法では、すべての言語において適切にメッセージが表示されるようにする上では、言語各々の仕組みを踏まえた上で、言語ごとにメッセージが確実に表示されるようにする必要がある。
【００４４】
このことを踏まえ、第１の実施形態では、医用画像診断装置１００が、メッセージを含むメッセージ画像データを表示するので、メッセージを確実に表示可能である。すなわち、第１の実施形態では、文字データではなく画像データとして表示することで、メッセージ画像記憶部１１０に記憶された画像データがそのまま確実に表示される。この結果、どの言語であったとしても、更には、どのようなメッセージであったとしても、メッセージを確実に表示可能である。また、絵としてメッセージをあつかう結果、どのような言語であっても対応可能であり、多国語表示を容易かつ確実に実現することが可能である。更には、メッセージを表示する上で、フォントデータを用意することが不要となり、禁則処理による影響をなくすことが可能である。
【００４５】
（第２の実施形態）
第２の実施形態では、医用画像診断装置が、被検体への影響度を評価し、影響度に基づいたメッセージ画像を表示する場合について説明する。例えば、医用画像診断装置５００が、被検体の撮影中に任意のメッセージを表示する場合には、その後被検体に影響が発生する可能性が撮影終了後と比較して高いことを踏まえ、撮影終了後に任意のメッセージ画像データを表示する場合と比較して、大きいメッセージ画像データを表示する。なお、以下では、第１の実施形態に係る医用画像診断装置と同様の点については、説明を省略する。被検体への影響度とは、例えば、被検体に何らかの影響がある可能性の程度を示す。
【００４６】
（第２の実施形態に係る医用画像診断装置の構成）
図７は、第２の実施形態に係る医用画像診断装置の構成の一例を示す図である。図７においては、第１の実施形態に係る医用画像診断装置１００と同様の部については、図２と同一の符号を付与し、説明を省略する。
【００４７】
図７に示す例では、医用画像診断装置５００は、メッセージ画像記憶部５１０と、制御部５２０とを有する。ここで、メッセージ画像記憶部５１０は、被検体への影響度を示す影響度情報をメッセージ画像データに対応付けて記憶する。
【００４８】
図８は、第２の実施形態におけるメッセージ画像記憶部に記憶された情報の一例を示す図である。図７に示すように、メッセージ画像記憶部５１０は、制御部５２０と接続される。メッセージ画像記憶部５１０は、被検体への影響度を示す「影響度情報」をメッセージ画像データに対応付けて記憶する。
【００４９】
図８に示す例では、メッセージ画像記憶部５１０は、言語ＩＤ「１」に対応付けて、文言ＩＤ「００１」と影響度情報「１」とメッセージ画像データ「画像データ００１ａ１」とを含むレコードを記憶し、文言ＩＤ「００１」と影響度情報「２」とメッセージ画像データ「画像データ００１ａ２」とを含むレコードを記憶する。また、メッセージ画像記憶部５１０は、文言ＩＤ「００２」と影響度情報「null」とメッセージ画像データ「画像データ００２ａ」とを含むレコードを記憶する。
【００５０】
なお、以下では、影響度情報の数字が小さければ小さいほど影響度が小さくなり、影響度情報の数字が大きければ大きいほど影響度が大きくなる場合を例に説明する。また、図８において、「null」は、何もデータが格納されていないことを示す。
【００５１】
ここで、図８に示す例では、メッセージ画像記憶部５１０は、同一の文言ＩＤについて、影響度情報ごとにメッセージ画像データを記憶する。例えば、図８に示す例では、メッセージ画像記憶部５１０は、言語ＩＤ「１」と文言ＩＤ「００１」との組み合わせについて、影響度情報「１」に対応付けてメッセージ画像データ「画像データ００１ａ１」を記憶し、影響度情報「２」に対応付けてメッセージ画像データ「画像データ００１ａ２」を記憶する。
【００５２】
ここで、対応付けられた影響度情報が異なるメッセージ画像データの一例について説明する。例えば、「画像データ００１ａ２」は、影響度情報「１」に対応付けてメッセージ画像データ「画像データ００１ａ１」と比較して、背景色や文字の色が目立つ色となる。例えば、「画像データ００１ａ１」の背景色が黒色で文字の色が白色である場合には、「画像データ００１ａ２」は、背景色が赤色で文字の色が黒色となる。また、例えば、「画像データ００１ａ２」は、影響度情報「１」に対応付けてメッセージ画像データ「画像データ００１ａ１」と比較して、メッセージ画像データそのものの大きさや文字の大きさが大きくなる。
【００５３】
また、図８に示す例では、メッセージ画像記憶部５１０が、影響度情報に対応付けられたメッセージ画像データを記憶するとともに、影響度情報が対応付けられていないメッセージ画像データを記憶する場合を例に示したが、これに限定されるものではない。例えば、メッセージ画像記憶部５１０が、すべてのメッセージ画像データについて影響度情報を対応付けても良い。
【００５４】
制御部５２０は、メッセージ画像記憶部５１０と接続される。制御部５２０は、影響度評価部５２１と、取得部５２２と、表示制御部５２３とを有する。影響度評価部５２１は、被検体への影響度を評価する。ここで、影響度評価部５２１による評価手法は、任意の手法であって良い。例えば、影響度評価部５２１による評価手法は、利用者によって予め入力される。影響度評価部５２１による評価の一例を示す。例えば、被検体の撮影中については、撮影していない時と比較して影響度が高いことを踏まえ、被検体の撮影中であれば影響度情報「２」であると評価し、被検体の撮影中でなければ影響度情報「１」であると評価する。
【００５５】
取得部５２２は、任意のメッセージを表示部１０３に表示する場合に、影響度評価部５２１により評価された影響度を示す影響度情報と、任意のメッセージを識別する識別情報とに対応付けられたメッセージ画像データをメッセージ画像記憶部５１０から取得する。例えば、影響度評価部５２１により評価された影響度が影響度情報「１」である場合を用いて説明する。また、医用画像診断装置５００により用いられている言語が「日本語」である場合を用いて説明する。また、表示するメッセージを識別する文言ＩＤが文言ＩＤ「００１」である場合を用いて説明する。この場合、取得部５２２は、文言ＩＤ「００１」と言語ＩＤ「１」と影響度情報「１」との組み合わせを検索キーとして、メッセージ画像データ「画像データ００１ａ１」を取得する。
【００５６】
表示制御部５２３は、取得部５２２により取得されたメッセージ画像データを表示部１０３に表示する。すなわち、表示制御部５２３は、影響度評価部５２１により評価された影響度に基づいたメッセージ画像を表示する。
【００５７】
（第２の実施形態に係る医用画像診断装置による処理）
図９は、実施例２に係る医用画像診断装置による処理の流れの一例を示すフローチャートである。
【００５８】
図９に示すように、医用画像診断装置５００では、任意のメッセージを表示する表示タイミングとなると（ステップＳ２０１肯定）、影響度評価部５２１は、影響度を評価する（ステップＳ２０２）。例えば、影響度評価部５２１は、撮影していない時と比較して影響度が高いことを踏まえ、被検体の撮影中でなければ影響度情報「１」であると評価する。
【００５９】
そして、取得部５２２は、文言ＩＤと影響度情報との組み合わせに対応付けられたメッセージ画像データをメッセージ画像記憶部５１０から取得する（ステップＳ２０３）。例えば、表示するメッセージを識別する文言ＩＤが文言ＩＤ「００１」であり、医用画像診断装置５００により用いられている言語が「日本語」である場合には、取得部１２１は、文言ＩＤ「００１」と言語ＩＤ「１」と影響度情報「１」との組み合わせを検索キーとして、メッセージ画像データ「画像データ００１ａ１」を取得する。
【００６０】
そして、表示制御部５２３は、取得部５２２により取得されたメッセージ画像データを表示部に表示する（ステップＳ２０４）。例えば、表示制御部５２３は、取得部１２１によって取得されたメッセージ画像データ「画像データ００１ａ１」を表示部１０３に表示する。
【００６１】
（第２の実施形態の効果）
上述したように、第２の実施形態によれば、医用画像診断装置５００は、被検体への影響度を評価し、影響度に基づいたメッセージ画像データを表示する。この結果、どのような言語であってどのようなメッセージであったとしても、被検体の状況にあったメッセージを簡単かつ確実に表示可能である。
【００６２】
（第３の実施形態）
さて、上述した実施形態以外にも、その他の実施形態にて実施されても良い。そこで、以下では、その他の実施形態を示す。
【００６３】
（影響度情報）
例えば、第２の実施形態では、メッセージ画像記憶部５１０が影響度情報に対応付けられたメッセージ画像データを記憶する場合について説明したが、これに限定されるものではない。例えば、メッセージ画像記憶部５１０が影響度情報に対応付けることなくメッセージ画像データを記憶した上で、制御部５２０が、影響度に基づいたメッセージ画像を表示しても良い。この場合、制御部５２０では、表示制御部５２３は、影響度評価部５２１により評価された影響度に基づいて、取得部５２２により取得されたメッセージ画像データの画素値及び大きさのうち少なくとも一方を変更した上で、表示部１０３に表示する。例えば、表示制御部５２３は、影響度が高い場合には、影響度が低い場合と比較してメッセージ画像データの大きさを大きくした上で表示する。また、例えば、表示制御部５２３は、影響度が高い場合には、影響度が低い場合と比較してメッセージ画像データの画素値を目立つ色に変更した上で表示する。また、この際、表示制御部５２３は、影響度に基づいて、メッセージ画像データに含まれる絵の種類を変更したり、絵の数を変更したり、あるいは、絵を新たに追加しても良い。
【００６４】
（画面領域）
また、例えば、上述した実施形態では、任意のメッセージを表示するための画面領域にメッセージ画像データを表示する場合を例に示したが、これに限定されるものではない。例えば、表示部１０３が医用画像を表示している場合に、表示制御部は、医用画像を含む画面のうち、医用画像が表示されていない画面領域上にメッセージ画像データを表示しても良い。すなわち、利用者は医用画像を見ていることが多いことを踏まえ、医用画像上に表示しないことで、利用者の邪魔をすることなくメッセージを利用者に確実に確認させることが可能である。
【００６５】
また、更には、影響度情報に基づいて、医用画像が表示されていない画面領域上にメッセージ画像データを表示し、医用画像が表示されている画面領域上にメッセージ画像データを表示するようにしても良い。すなわち、利用者は医用画像を見ていることが多いことを踏まえ、影響度が相対的に高い場合には医用画像上に表示することで利用者にメッセージを確実に確認させる一方、影響度が相対的に低い場合には、医用画像上を避けてメッセージを表示することで利用者の邪魔をすることなくメッセージを利用者に確認させることが可能である。
【００６６】
（システム構成）
また、本実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。例えば、メッセージ画像データを予め手動にてメッセージ画像記憶部に格納しておいても良く、任意のメッセージを示す文字列に基づいて自動的にメッセージ画像データを生成してメッセージ画像記憶部に格納しても良い。
【００６７】
また、例えば、上述文書中や図面中で示した処理手順、制御手順、具体的名称、各種のデータやパラメータを含む情報については（図１〜図９）、特記する場合を除いて任意に変更することができる。
【００６８】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。例えば、図２や図７に示す例では、メッセージ画像記憶部１１０を医用画像診断装置３００や医用画像診断装置５００の外部装置としてネットワーク経由で接続するようにしても良い。
【００６９】
（医用画像診断装置）
また、例えば、上述した説明では、医用画像診断装置１００や医用画像診断装置５００が、メッセージ画像記憶部１１０やメッセージ画像記憶部５１０からメッセージ画像データを取得して表示する場合について説明したが、これに限定されるものではない。図１と図２とに示す例を用いて説明すると、医用画像表示装置３００や医用画像保管装置２００が、表示部１０３とメッセージ画像記憶部１１０と取得部１２１と表示制御部１２２とを有し、任意のメッセージを表示する場合に、任意のメッセージを識別する識別情報に対応付けられたメッセージ画像データをメッセージ画像記憶部１１０から取得し、取得したメッセージ画像データを表示部１０３にて表示したり、利用者が利用する利用者端末に送信することで利用者端末から表示させたりしても良い。また、同様に、図１と図７とに示す例を用いて説明すると、医用画像表示装置３００や医用画像保管装置２００が、表示部１０３とメッセージ画像記憶部５１０と影響度評価部５２１と取得部５２２と表示制御部５２３とを有し、任意のメッセージを表示する場合に、任意のメッセージを識別する識別情報に対応付けられたメッセージ画像データをメッセージ画像記憶部５１０から取得し、取得したメッセージ画像データを表示部１０３にて表示したり、利用者が利用する利用者端末に送信することで利用者端末から表示させたりしても良い。
【００７０】
（その他）
なお、本実施形態で説明した医用画像診断装置を実行するプログラムである医用画像診断プログラムは、インターネットなどのネットワークを介して配布することができる。また、画像診断プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００７１】
（実施形態の効果）
以上述べた少なくとも１つの実施形態の医用画像診断装置及び医用画像表示装置によれば、メッセージを識別する識別情報と、メッセージを含むメッセージ画像データとを対応付けて記憶し、任意のメッセージを表示する場合に、任意のメッセージを識別する識別情報に対応付けられたメッセージ画像データをメッセージ画像記憶部から取得し、取得したメッセージ画像データを表示する結果、メッセージを表示する際にエラーが起こることを防止可能となる。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１００      医用画像診断装置
１０３      表示部
１１０      メッセージ画像記憶部
１２０      制御部
１２１      取得部
１２２      表示制御部
【図１】
2012170781.tif 000003
【図２】
2012170781.tif 000004
【図３】
2012170781.tif 000005
【図４−１】
2012170781.tif 000006
【図４−２】
2012170781.tif 000007
【図４−３】
2012170781.tif 000008
【図５】
2012170781.tif 000009
【図６】
2012170781.tif 000010
【図７】
2012170781.tif 000011
【図８】
2012170781.tif 000012
【図９】
2012170781.tif 000013